(57)【要約】【課題】使用全期間を通して安定して内層の潰れ減容変形を規制し、内容物の注出路を安定して確保することが可能であり、使用最後までスムーズなスクイズ感で内容物を注出することが可能なブロー成形容器を提供する。【解決手段】胴部（４）の側壁の一部において、外層（１）の一部で内層（２）の一部を挟み込み状に保持する縦突条状の挟持部（７）に対し、その中間部位を水平方向両側から圧接して剥離不能に密着一体化させた圧着部（７ａ）を断続的または連続的に形成する。【選択図】図２
2014091531.tif 000002
【特許請求の範囲】
【請求項１】
外殻を形成する外層（１）と、該外層（１）に対し剥離可能に且つ潰れ減容変形自在に積層された内層（２）とから成る有底筒状の胴部（４）と、該外層（１）の一部で該内層（２）の一部を挟み込み状に保持する縦突条状の挟持部（７）とを備えたボトル状のブロー成形容器であって、
前記挟持部（７）の中間部位において、前記外層（１）と前記内層（２）が水平方向両側から圧接されて剥離不能に密着一体化された圧着部（７ａ）が形成されていることを特徴とするブロー成形容器。
【請求項２】
前記圧着部（７ａ）は該胴部の高さ範囲に亘って断続的または連続的に形成されている請求項１のブロー成形容器。
【請求項３】
前記圧着部（７ａ）は前記胴部の横断面において中心軸対称に形成されている請求項１又は２に記載のブロー成形容器。
【請求項４】
外層（１）と内層（２）が積層されたパリソン（Ｐ）を、胴部金型（１０）の等分縦断面に関して対称に該胴部金型側壁の一部がそれぞれ内側に張り出した張り出し部（１０ａ）と、該張り出し部（１０ａ）に挟みこまれた挟持部金型（１０ｂ）とを備えたブロー成形金型でブローさせて容器を成形するブロー成形方法であって、
前記パリソン（Ｐ）をブローさせた後に、前記挟持部金型（１０ｂ）の突出方向の中間部位において、外層（１）と内層（２）を水平方向両側から圧接して剥離不能に密着一体化させるスライドピン（１１,１１）を備えることを特徴とするブロー成形方法。
【発明の詳細な説明】
【技術分野】
【０００１】
本発明は、ブロー成形容器、特に使用全期間を通して安定して内層の潰れ減容変形を規制し、内容物の注出路を安定して確保することが可能であり、使用最後までスムーズなスクイズ感で内容物を注出することが可能なブロー成形容器に関するものである。
【背景技術】
【０００２】
外殻を形成する外層内に、内容物を収容する潰れ減容変形自在な内袋としての内層を、剥離可能に積層し、大気を内層内に吸引することなく内容物の注出を可能とした、積層剥離容器と称されているブロー成形容器が知られている。この積層剥離容器においては、内容物が注出されるに従って、ボトルの一部、例えば口部外周面に設けられた吸気孔から外層と内層の間に大気が侵入して、その大気圧によって内層が外層から剥離して潰れ減容変形する、いわゆるデラミ現象が発生する。このデラミ現象は、内容物に作用する重力の影響によって、内層の上方から下方に向かって進行する。従って、内容物の残量が少ない使用後半においては、内層同士の密着が進行し、内袋の注出口に至る注出路が狭くなり、その結果、ボトルの胴部を押した時の手の感覚が重くなるという問題があった。
【０００３】
この問題を解消する手段として、積層剥離容器の全高さ範囲に亘って、一つの縦帯状の接着層と、この接着層の反対側に位置する、外層の一部で挟み込み状に保持する挟持部とにより、内層の潰れ減容変形に対して一定した規制力を作用させ、これにより内層を規則的に扁平潰れ減容変形させて、内容物の注出路を確保し易くなるように構成されたブロー成形容器が知られている（例えば、特許文献１を参照。）。
【先行技術文献】
【特許文献】
【０００４】
【特許文献１】特開２００７−９１２８０号公報
【発明の概要】
【発明が解決しようとする課題】
【０００５】
上記ブロー成形容器では、接着層と挟持部とを不動部分としているので、内層はこの接着層と挟持部を含む縦切断面に対して垂直方向から押し潰される形態で潰れ減容変形することになり、挟持部は内層の潰れ減容変形の基本的な方向性を規制することになる。従って、挟持部が形成される範囲の高さ方向の位置、長さ、および個数を適宜調整することにより、内層の潰れ減容変形が規則的に進行し、使用全期間を通して内容物の注出路を確保させることが可能となる。
しかし、実際は、上記ブロー成形容器においても使用後半において、上記挟持部と接着層は、内層の潰れ減容変形規制手段としては十分に機能しない場合があり、その場合、内層同士の密着が進行し、ユーザが胴部を押した時の手の感覚が重くなる（押し感が重くなる）という問題点があった。この点においては、上記ブロー成形容器は更なる改良の余地があった。
そこで、本発明は、上記従来技術の課題に鑑みなされたものであって、使用全期間を通して安定して内層の潰れ減容変形を規制し、内容物の注出路を安定して確保することが可能であり、使用最後までスムーズなスクイズ感で内容物を注出することが可能なブロー成形容器を提供することを目的とする。
【課題を解決するための手段】
【０００６】
上記技術的課題を解決するための本発明に係る第１の技術的手段は、外殻を形成する外層と、該外層に対し剥離可能に且つ潰れ減容変形自在に積層された内層とから成る有底筒状の胴部と、該外層の一部で該内層の一部を挟み込み状に保持する縦突条状の挟持部とを備えたボトル状のブロー成形容器であって、
前記挟持部の中間部位において、前記外層と前記内層が水平方向両側から圧接されて剥離不能に密着一体化された圧着部が形成されていることを特徴とする。
【０００７】
上記圧着部では、外層によって内層が挟み込まれた、内層の潰れ減容変形規制手段としての挟持部がその中間部位において水平方向両側から圧接され、外層と内層ならびに内層同士が水平方向両側から完全に押し潰され密着一体化した状態にある。また、この内層同士の密着状態は外層によって強固に安定して保持さている。その結果、この圧着部によって強い安定した張力が内層の面内に負荷されることになり、この圧着部は安定して内層の潰れ減容変形の方向性を規制すると共に、その規制力も従来の挟持部のみの構成に比べ強化されることになる。
また、この密着部においては外層と内層ならびに内層同士が水平方向両側から完全に押し潰され密着一体化した状態にあり、構造的に安定している。従って、この圧着部が形成される胴部の高さ範囲の位置、長さ、および個数を適宜調整することにより、使用全期間を通して、安定して内層の潰れ減容変形の方向性を規制し、内容物がスムーズに注出するための注出路を確保するように作用し、ユーザは使用最後までスムーズなスクイズ感で内容物を注出することが出来るようになる。
従って、上記圧着部は、接着層と共に或いは接着層に代わる内層の潰れ減容変形規制手段として好適に機能する。
【０００８】
本発明に係る第２の技術的手段は、前記圧着部が該胴部の高さ範囲に亘って断続的または連続的に形成されている、ことにある。
【０００９】
上記構成では、陥没部によって内層の収容容積が減少することになる。しかし、上記構成の圧着部は、容器の大きさ又は内容物の特性に拘わらず、使用全期間を通して、安定して内層の潰れ減容変形の方向性を規制し、内容物がスムーズに注出するための注出路を確保するように作用し、ユーザは使用最後までスムーズなスクイズ感で内容物を注出することが出来るようになる。従って、上記構成は上記欠点を補ってもなお余りある効果を有している。
【００１０】
本発明に係る第３の技術的手段は、前記圧着部は前記胴部の横断面において中心軸対称に形成されている、ことにある。
【００１１】
上記構成では、内層の潰れ減容変形規制手段としての接着層を省略することが出来る。外層に係る溶融樹脂、内層に係る溶融樹脂を共押出機により押し出して積層する際、接着層に係る溶融樹脂を介さずに積層することになるため、材料コストの低減をもたらすことが可能となる。
【００１２】
本発明に係る第４の技術的手段は、外層と内層が積層されたパリソンを、胴部金型の等分縦断面に関して対称に該胴部金型側壁の一部がそれぞれ内側に張り出した張り出し部と、該張り出し部に挟みこまれた挟持部金型とを備えたブロー成形金型でブローさせて容器を成形するブロー成形方法であって、
前記パリソンをブローさせた後に、前記挟持部金型の突出方向の中間部位において、外層と内層を水平方向両側から圧接して剥離不能に密着一体化させるスライドピンを備えることを特徴とする。
【００１３】
上記構成では、上記第１の技術的手段に係るブロー成形容器を好適に製造することが可能となる。
【発明の効果】
【００１４】
本発明のブロー成形容器によれば、内層の潰れ減容変形規制手段としての挟持部がその中間部位において水平方向両側から圧接され、外層と内層ならびに内層同士が水平方向両側から完全に押し潰され密着一体化した状態にある。また、この内層同士の密着状態は外層によって強固に安定して保持さている。更に、この圧着部は構造的に安定している。その結果、この圧着部によって強い安定した張力が内層の面内に常時負荷されることになり、この圧着部は安定して内層の潰れ減容変形の方向性を規制すると共に、その規制力も従来の挟持部のみの構成に比べ強化されることになる。従って、この圧着部が形成される胴部の高さ範囲の位置、長さ、および両側あるいは片側を適宜調整することにより、使用全期間を通して、安定して内層の潰れ減容変形の方向性を規制し、内容物がスムーズに注出するための注出路を好適に確保するように作用し、ユーザは使用最後までスムーズなスクイズ感で内容物を注出することが出来るようになる。
また、本発明のブロー成形方法によれば、ブロー成形時において容易に安定して容器の挟持部を水平方向両側から圧着することができ上記ブロー成形容器を好適に製造することが可能となる。
【図面の簡単な説明】
【００１５】
【図１】本発明のブロー成形容器の一実施例である積層剥離容器を示す要部説明図である。
【図２】図１のＡ−Ａ断面図である。
【図３】本発明のブロー成形方法を示す説明図である。
【図４】図３（ｄ）のＥ部拡大図である。
【図５】本発明のブロー成形容器の他の実施例である積層剥離容器を示す要部説明図である。
【図６】図５のＢ−Ｂ断面図である。
【図７】本発明のブロー成形容器の他の実施例である積層剥離容器を示す要部説明図である。
【図８】本発明のブロー成形容器の他の実施例である積層剥離容器を示す要部説明図である。
【図９】本発明の積層剥離容器に係る内層の潰れ減容変形形態を示す説明図である。
【図１０】本発明の積層剥離容器に係る内層の潰れ減容変形形態を示す説明図である。
【発明を実施するための形態】
【００１６】
以下、図に示す実施の形態により本発明をさらに詳細に説明する。
【００１７】
図１は、本発明のブロー成形容器の一実施例である積層剥離容器１００を示す要部説明図である。図２は、図１のＡ−Ａ断面図である。
この積層剥離容器１００は、外層１と内層２が縦帯状の接着層９を介して積層された多層パリソンを後述の割金型内でブロー成形することにより成形される。その構成は、口部３と、胴部４と、底部５とから構成され、口部３には大気を外層１と内層２の層間に取り込む吸気孔３ａが設けられている。
【００１８】
外層１は胴部４の外殻を形成し、内層２は外層１に対し剥離可能に積層しながら内容物を収容する内袋を形成する。外層１と内層２は相容性が低い合成樹脂からそれぞれ成る。一例を挙げると、外層１は、例えば低密度ポリエチレン製樹脂（ＬＤＰＥ）から成り、一方、内層２は低密度ポリエチレン製樹脂との相容性がほとんどない例えばナイロン製樹脂から成るが、これらに限定されることはない。
【００１９】
接着層９は、外層１および内層２の双方に対して接着性を発揮する合成樹脂から成る。一例を挙げると、上記低密度ポリエチレン（ＬＤＰＥ）製樹脂および上記ナイロン製樹脂の双方に対し接着性を発揮する、例えば接着性ポリオレフィン樹脂（例えば、三井化学社製のアドマー）から成る。
【００２０】
この積層剥離容器１００の動作を簡単に説明すると、先ず、胴部４を指で両側から押圧すると、外層１と内層２は共に内側に変形し、内層２内の圧力が上昇して内容物が口部３から外部に注出されることになる。次に、胴部２の押圧を解除すると、外層１は弾性復元力により元の形に戻り始め、その結果、外層１と内層２の層間が負圧になり、吸気孔３ａを通って空気が層間に導入され、内層２は減容変形状態を保持したまま、外層２だけが元の形に復元する。そして、以後、上記動作が繰り返されることになる。なお、内容物は、図示されてはいないが、口部３に逆止弁を有するキャップ及びノズルまたはポンプを取り付けて外部に注出される。
【００２１】
また、詳細については図２を参照しながら後述するが、胴部４の側壁の片側上下２箇所においてツマミ部としての挟持部７がそれぞれ形成されている。特に、挟持部７の中間部位に対して、後述のスライドピンによって水平方向両側から圧接して、外層１および内層２も密着一体化し両層が一体化し、更に内層２同士が水平方向両側から完全に押し潰され密着一体化した状態にある圧着部７ａが形成されている。この圧着部７ａによって、内層２が内側に潰れ減容変形する際、内層２の潰れ減容変形の方向性を好適に規制し、内層２同士が密着して内容物の注出路が狭まることを好適に防止する。
【００２２】
図２に示すように、胴部４の側面の等分縦断面に関して対称な位置には、胴部４の側面の一部が凹んだ陥没部６,６がそれぞれ形成され、陥没部６,６の間には挟持部７が形成されている。更に、挟持部７の中間部位は水平方向両側から扁平に圧接され凹んで、その結果、外層１と内層２が互いに押し潰され密着一体化すると共に、内層２同士も完全に押し潰され密着一体化した圧着部７ａがそれぞれ形成されている。
【００２３】
図３は、本発明の積層剥離容器１００を成形するブロー成形方法を示す説明図である。
先ず、図３（ａ）に示すように、胴部金型１０を閉じてパリソンＰを金型の内側にセットする。また、積層剥離容器１００の挟持部７に対応する挟持部金型１０ｂを両側から圧接するスライドピン１１,１１が胴部金型１０の内部を貫通して伸縮する形態で配設されている。従って、スライドピン１１の先端部は、挟持部金型１０ｂの内壁面の一部を成している。スライドピン１１,１１が作動すると、各ピン先端部が前方に変位して、挟持部７を両側から圧接するように構成されている。
【００２４】
次いで、図３（ｂ）及び同（ｃ）に示すように、パリソンＰの内部に高圧エアを吹き込んでブローさせ、パリソンＰに係る溶融樹脂を胴部金型１０の内周面に押し付けブロー成形する。
【００２５】
次いで、スライドピン１１,１１を作動させ、各ピン先端部が前方に変位して、挟持部７を両側から圧接する。図４に示すように、圧着部７ａにおいては外層１と内層２が互いに押し潰され密着一体化していると共に、内層２同士も完全に押し潰され密着一体化した状態にある。
【００２６】
図５は、本発明のブロー成形容器の他の実施例である積層剥離容器２００を示す要部説明図である。
図１の積層剥離容器１００との違いは、挟持部７が胴部４の両側上下４箇所に形成されている。
従って、図６に示されるように、接着層９に代わって、挟持部７の圧着部７ａが内層２の潰れ減容変形形態規制手段として機能している。
【００２７】
図７は、本発明のブロー成形容器の他の実施例である積層剥離容器３００を示す要部説明図である。
図１の積層剥離容器１００との違いは、圧着部７ａが胴部４の片側全高さ範囲に亘って連続して形成されている。
【００２８】
この図７に示した実施例にあっては、胴部４の略全高さ範囲に亘って一対の陥没部６,６を設けたので、内層２に対する挟持部７の規制力は、胴部４の略全高さ範囲に亘って均等に作用することになり、内容物の注出路を安定して確保することが出来る。
【００２９】
図８は、本発明のブロー成形容器の他の実施例である積層剥離容器４００を示す要部説明図である。
図１の積層剥離容器１００との違いは、圧着部７ａが胴部４の両側の略全高さ範囲に亘って連続して形成されている。
この図８に示した実施例にあっては、図７の積層剥離容器３００と比べ、内層２に対する挟持部７の規制力が、胴部４の略全高さ範囲に亘ってより均等に作用することになり、内容物の注出路をより安定して確保することになる。また、上記、図５の積層剥離容器２００と同様に、接着層９が不要となる。
【００３０】
図９は、本発明の積層剥離容器１００,３００に係る内層２の潰れ減容変形形態を示す説明図である。
この図は、挟持部７の圧着部７ａの内層２に対する潰れ減容変形規制力と接着層９による潰れ減容変形規制力が作用した時の、内層２の潰れ減容変形形態を示している。内層２同士が接着することなく、内層２が、挟持部７および接着層９を含む等分縦断面に向かって規則的に減容変形し、内容物の注出路が安定して確保されていることが分かる。
【００３１】
図１０は、本発明の積層剥離容器２００,４００に係る内層２の潰れ減容変形形態を示す説明図である。
この図は、挟持部７の圧着部７ａの内層２に対する潰れ減容変形規制力が胴部４の両側で作用した時の、内層２の潰れ減容変形形態を示している。内層２同士が接着することなく、内層２が、両側の挟持部７，７を含む等分縦断面に向かって規則的に減容変形し、内容物の注出路が安定して確保されていることが分かる。
【００３２】
以上の通り、本発明の積層剥離容器１００,２００,３００,４００によれば、内層２の潰れ減容変形規制手段としての挟持部７がその中間部位において水平方向両側から圧接され、外層１と内層２ならびに内層２同士が水平方向両側から完全に押し潰され密着一体化した状態にある。また、この内層２同士の密着一体化状態は外層１によって強固に安定して保持さている。更に、この圧着部７ａは構造的に安定している。その結果、この圧着部７ａによって強い安定した張力が内層の面内に常時負荷されることになり、この圧着部７ａは安定して内層２の潰れ減容変形の方向性を規制すると共に、その規制力も従来の挟持部のみの構成に比べ強化されることになる。従って、この圧着部７ａが形成される胴部の高さ範囲の位置、長さ、および両側あるいは片側を適宜調整することにより、使用全期間を通して、安定して内層２の潰れ減容変形の方向性を規制し、内容物がスムーズに注出するための注出路を好適に確保するように作用し、ユーザは使用最後までスムーズなスクイズ感で内容物を注出することが出来るようになる。
また、本発明のブロー成形方法によれば、ブロー成形時において容易に安定して容器の挟持部７を水平方向両側から圧着することができ上記積層剥離容器１００,２００,３００,４００を好適に製造することが可能となる。
【産業上の利用可能性】
【００３３】
本発明のブロー成形容器は、積層剥離容器に対し好適に適用される。
【符号の説明】
【００３４】
１              外層
２              内層
３              口部
３ａ            吸気孔
４              胴部
５              底部
６              陥没部
７              挟持部
７ａ            圧着部
９              接着層
１０            胴部金型
１０ａ          張り出し部
１０ｂ          挟持部金型
１１            スライドピン
１００          積層剥離容器
【図１】
2014091531.tif 000003
【図２】
2014091531.tif 000004
【図３】
2014091531.tif 000005
【図４】
2014091531.tif 000006
【図５】
2014091531.tif 000007
【図６】
2014091531.tif 000008
【図７】
2014091531.tif 000009
【図８】
2014091531.tif 000010
【図９】
2014091531.tif 000011
【図１０】
2014091531.tif 000012